(57)【要約】      （修正有）【課題】ずれにくいソックスを提供する。【解決手段】ソックス１は、足を挿入する履き口と、履き口から挿入した足の爪先を収容する爪先ポケット３と、踵を覆う踵ポケット４と、爪先ポケットと踵ポケットとの間を覆う足部５とを備え、踵ポケットの上端に形成されている履き口の後方部の下方には、伸縮性の高い糸で踵ポケットを編成している踵上係止部３０が形成され、踵上係止部の下方には、靴との摩擦を回避するための踵開口部６が形成されている。【選択図】図５
0003224370.tif 000002
【実用新案登録請求の範囲】
【請求項１】
足を挿入する履き口と、前記履き口から挿入した足の爪先を収容する爪先ポケットと、踵を覆う踵ポケットと、前記爪先ポケットと前記踵ポケットとの間を覆う足部とを備え、
前記踵ポケットの上端に形成されている前記履き口の後方部の下方には、前記踵ポケットを編成している踵上係止部が形成され、前記踵上係止部の下方に踵開口部が形成されているソックス。
【請求項２】
前記踵開口部は、上下方向に延びる長孔又はスリット状に形成されている請求項１に記載のソックス。
【請求項３】
前記履き口の後方部と前記踵開口部との間には、５ｍｍ以上２５ｍｍ以下の距離が設けられている請求項１又は２に記載のソックス。
【請求項４】
前記踵開口部は、上下方向に踵骨骨端核を露出し得る長さに形成されている請求項１から３のいずれか一項に記載のソックス。
【請求項５】
前記足部を構成する側面部の上部側は、前記爪先ポケットの編地よりも高い伸縮性を有する糸を用いて編成され、
底面部のうち土踏まずに当てられる領域の少なくとも一部であって、幅方向に延びる帯状部分は、前記爪先ポケットの編地よりも高い伸縮性を有する糸を用いて編成されている請求項１から４のいずれか一項に記載のソックス。
【請求項６】
前記上部側と前記帯状部分との間には、補助開口部が形成されている請求項５に記載のソックス。
【考案の詳細な説明】
【技術分野】
【０００１】
本考案は、ソックスに関する。
【背景技術】
【０００２】
ファッションとして素足でスニーカー、ローファー等の靴を履いたり、暑さのためストッキングを履かずに素足でパンプスを履いたりすることが行われているが、足裏は汗をかき易く、素足のままでは靴の中が蒸れてしまう。
【０００３】
このため、従来から、足首と足甲の一部が露出するように履き口が大きく開いており、着用時に靴を履いても、靴からはみ出さないような浅履き靴下が利用されている。浅履き靴下は、フットカバー、カバーソックス、インナーソックス、ヌードソックス等と称されることもある。
【０００４】
このような浅履き靴下は履き口が大きく開いているため、歩行中の摩擦等によって履き位置がずれたり、踵の部分から脱げてしまったりするという問題がある。一方、履き口を小さくしてしまうと、足甲が大きく開いた靴を履く場合、靴下が靴からはみ出してしまう。このような問題を解消するために、幾つかの提案がなされている。
【０００５】
例えば、特許文献１には、フットカバーの踵当接部内面にゴム材等からなる突起状弾性体を取付け、突起状弾性体が滑り止めの役割をして、フットカバーを脱げ難くすることが開示されている。
【先行技術文献】
【特許文献】
【０００６】
【特許文献１】特開平１０−２９２２０６号公報
【考案の概要】
【考案が解決しようとする課題】
【０００７】
しかし、特許文献１においては、フットカバーを脱げ難くするために突起状弾性体が踵の部分に取り付けられているのみであり、フットカバー本体の伸縮性が十分でないため、やはり歩行時に履き位置がずれたり、踵の部分から脱げてしまったりすることがあった。
そこで、本考案は、着用時にずれ難いソックスを提供する。
【課題を解決するための手段】
【０００８】
本考案のソックスは、足を挿入する履き口と、前記履き口から挿入した足の爪先を収容する爪先ポケットと、踵を覆う踵ポケットと、前記爪先ポケットと前記踵ポケットとの間を覆う足部とを備え、前記踵ポケットの上端に形成されている前記履き口の後方部の下方には、前記踵ポケットを編成している踵上係止部が形成され、前記踵上係止部の下方に踵開口部が形成されている。
この構成によれば、踵開口部及び踵上係止部により、ソックスのずれを防止できる。
【０００９】
本考案のソックスの前記踵開口部は、上下方向に延びる長孔又はスリット状に形成されていてもよい。
この構成によれば、踵開口部を適切に開口させることが出来る。
【００１０】
本考案のソックスの前記履き口の後方部と前記踵開口部との間には、５ｍｍ以上２５ｍｍ以下の距離が設けられていてもよい。
この構成によれば、踵上係止部により、しっかりと踵ポケットを保持できる。
【００１１】
本考案のソックスの前記踵開口部は、上下方向に踵骨骨端核を露出し得る長さに形成されていてもよい。
この構成によれば、ソックスの踵ポケットにおけるずれが有効に防止できる。
【００１２】
本考案のソックスの前記足部を構成する側面部の上部側は、前記爪先ポケットの編地よりも高い伸縮性を有する糸を用いて編成され、底面部のうち土踏まずに当てられる領域の少なくとも一部であって、幅方向に延びる帯状部分は、前記爪先ポケットの編地よりも高い伸縮性を有する糸を用いて編成されていてもよい。
この構成によれば、ソックスのフィット感を良好に高め、ソックスのズレを防止できる。
【００１３】
本考案のソックスの前記上部側と前記帯状部分との間には、補助開口部が形成されていてもよい。
【考案の効果】
【００１４】
本考案のソックスは、着用時にずれ難いという効果を奏する。
【図面の簡単な説明】
【００１５】
【図１】本考案の一実施形態に係るソックスを模式的に示した側面図である。
【図２】本考案の一実施形態に係るソックスを展開して示した図である。
【図３】本考案の一実施形態に係るソックスの着用状態を示した右側面図である。
【図４】本考案の一実施形態に係るソックスを模式的に示した左側面図である。
【図５】本考案の一実施形態に係るソックスの着用状態を示した斜視図である。
【考案を実施するための形態】
【００１６】
以下、図面を参照して、本考案の一実施形態であるソックスについて、浅履きソックス（「シューズインタイプソックス」等とも言われる）を例示して説明する。なお、以下の説明で用いる図の各部分の寸法は実際のものと同一とは限らず、適宜変更することができる。また、本明細書において、爪先側又は爪先方向を前側又は前方、踵側又は踵方向を後側又は後方と称し、足の甲側を上（側）、足底側を下（側）と称する。
【００１７】
図１及び図２に示すように、本考案のソックス１（以下単に「ソックス１」という）は、足を挿入する履き口１ａの少なくとも前後に設けられた口編部２と、履き口１ａから挿入した足の爪先を収容する爪先ポケット３と、踵を収容する踵ポケット４と、爪先ポケット３と踵ポケット４との間に編成された足部５とを有している。ソックス１は、踵ポケット４に踵開口部６を有している。
【００１８】
口編部２は、編地の端部を袋状にし、ほつれやまくれ上がりを防止し、補強している箇所である。本実施形態の口編部２は、前後方向で分離しており、踵側に位置する後方口編部（履き口の後方部）２ａと爪先側に位置する前方口編部２ｂとに分かれている。履き口１ａにおいて、前方口編部２ｂと後方口編部２ａとの間は編地が一重で端縁処理されている。
【００１９】
後方口編部２ａは、図３又は図４に示すように、足首を囲む周方向に見て、着用時に概ね内側のくるぶし４０から外側のくるぶし４１に亘って延在して踵の上部側において踵を囲んでフィットするように編成されている。この後方口編部２ａは、ほつれやまくれ上がりを防止するとともに、踵ポケット４が踵からずれ難いように設けられている。
図２に示すように、後方口編部２ａの下方には、この後方口編部２ａの延在方向に沿って身編地８が編成されている。本実施形態では、後方身編地は数コース分だけ設けられている。身編地８の下方には踵ポケット４が編成されている。
【００２０】
図３に示すように、踵ポケット４は全体として、踵をその両側面、アキレス腱５０の下方部分の踵骨骨端核６０に対向する後面及びその下方の底面から包む部分である。
具体的には、踵ポケット４は、図２に示すように、互いにほぼ平行な上辺１１ｍ及び下辺１１ｎ又は１１ｋを有するとともに大小の第１の台形編地１１Ａ，第２の台形編地１１Ｂ，第３の台形編地１１Ｃ及び第４の台形編地１１Ｄを、その上辺１１ｍ又は下辺１１ｋを突き合わせて、大−小−小−大と並べて編成された編地１１により形成されている。
【００２１】
踵ポケット４の立体形状は、２つの第２の台形編地１１Ｂ及び第３の台形編地１１Ｃの下辺１１ｋ付近で折り曲げた際に、互いに重なり合う台形の側辺（トラバース端）１２ａ，１２ａ同士を接合させて図１に示すゴアラインＧ１，Ｇ２，Ｇ３形成して設けられている。すなわち、踵ポケット４は、後方口編部２ａの両端近傍に位置するゴアラインＧ１の上端を始端として編成され、始端よりも後方かつ下方に編成された領域を構成している。
【００２２】
図１又は図２に示すように、ゴアラインＧ１により斜め上下に区切られる踵ポケット４の上側、すなわち第１の台形編地１１Ａ及び第２の台形編地１１Ｂは、他の部分よりも伸縮力の高い糸を用いて編成されている。
高い伸縮力を発揮する糸の材料としては、高い伸縮性を有するポリウレタン，糸状ゴム等を芯糸にナイロン，ポリエステル，レーヨン等の長繊維をダブルカバリングしたゴム糸などの高弾性糸が好適に用いられる。
【００２３】
図３に示すように、踵ポケット４の踵骨骨端核６０に対向し得る部分、言い換えると第１の台形編地１１Ａの幅方向中央には、上下方向に延びる長孔が形成されている。長孔は、踵ポケット４に覆われた踵の踵骨骨端核６０に相当する部分を開口し得る踵開口部６を構成している。図２に示すように、踵開口部６は、第１の台形編地１１Ａの編成において、長孔の左右を別々にインターシャ編成することにより形成されている。なお、長孔の左右のコース幅を適宜変更することにより、長孔の幅又は形状を調整してもよい。
【００２４】
踵開口部６と後方口編部２ａとの間には、踵ポケット４を編成する踵上係止部３０が形成されている。
踵開口部６の上端と後方口編部２ａの下端との間の距離、すなわち踵上係止部３０の上下方向の長さは、５ｍｍ以上２５ｍｍ以下であることが好ましく、１０ｍｍ以上２０ｍｍ以下であることがより好ましい。
【００２５】
踵上係止部３０の上下方向の長さが５ｍｍ以下だと、踵上係止部３０の図３に示す踵骨骨端核６０に当たる部分への係止が甘くなり、また踵ポケット４の編成が少なくなるため、踵上係止部３０が破れやすくなる。したがって、踵上係止部３０の上下方向の長さは、１０ｍｍから２０ｍｍであることが好ましい。踵上係止部３０の上下方向の長さが２５ｍｍ以上であると、踵上係止部３０が踵骨骨端核６０による突出に被ってしまうことがあり好ましくない。踵上係止部３０は、足の踵の上部にしっかりと収まり、フィットするように設けられている。
なお、踵上係止部３０の代わりに、踵開口部６を履き口１ａの後部側を縫合することにより形成する態様は、縫合部分の厚みが大きくなり過ぎて、踵を圧迫し、傷めてしまうことがあるため好ましくない。
【００２６】
踵開口部６の上下方向の長さは、上下方向に図３に示す踵骨骨端核６０を露出し得る長さに形成されている。また、踵開口部６は、未着用時、水平方向（又は短手方向）には、できるだけ開口しないように形成されている。
【００２７】
前方口編部２ｂは、着用時に足の親指付け根付近から小指の付け根付近に亘って左右方向（すなわち足の幅方向）に延びて爪先ポケット３に足の指を収容させた状態で緩やかにホールドできるようになっている。
【００２８】
爪先ポケット３は、図２に示すように、互いにほぼ平行な上辺１３ｍ及び下辺１３ｎを有する台形編地１３Ａ，１３Ｂの上辺１３ｍを突き合わせた形状に編成された編地１３を上辺１３ｍ部付近で折り畳んだ際に、互いに重なり合う側辺（トラバース端）１４ａ，１４ａ同士を接合させて袋状に設けられ、後述する環状編地１５と縫合されている。すなわち、爪先ポケット３は、図３に示すように環状編地１５との縫合により形成された幅方向の縫合部Ｇ４よりも前方部分の編地３ａと、編地３ａに対向する足底側の部分の編地３ｂとにより形成された部分を構成している。
【００２９】
図２及び図３に示すように、爪先ポケット３と踵ポケット４との間には、足部５が編成されている。
本実施形態では、足部５は、前方口編部２ｂと爪先ポケット３との間において、環状に編成された環状編地１５と、この環状編地１５と踵ポケット４との間に編成された延長編地１６とを有している。
【００３０】
環状編地１５は、足の甲及び足底を環状に覆う部分である。環状編地１５の前後方向の長さは、足の甲おける前方口編部２ｂの位置すなわち足の甲が覆われる長さを決定する要素となっている。本実施形態のソックス１は、パンプス等の履き口の大きい靴の着用時であっても、履き口から前方口編部２ｂ又は環状編地１５がはみ出ないように環状編地１５の前後方向の長さを短くとっている。
【００３１】
延長編地１６は、足裏を覆う底面を含む足の前後方向中間部を被う部分として編成されており、図３及び図４に示す足の両側面を被う側面部１７，１７と、図２に示す足の側面と足裏とを分ける線Ｌ１，Ｌ２の付近を境として側面部１７，１７同士の間に編成された底面部１８とを有している。
【００３２】
図２に示すように、延長編地１６において履き口１ａから側面部１７の中間部（上下方向の中央付近）までの間（上部側）は、後述の下側締め付け部３６を除く底面部１８よりも伸縮性の高い糸を用いて前後方向に延びる帯状に編成されている。延長編地１６において伸縮性の高い糸を含んだ編地部分は、上側締め付け部３５を構成している。
【００３３】
上側締め付け部３５は、後方には、延長編地１６から踵ポケット４の第４の台形編地１１Ｄまで略直線状に延びている。
上側締め付け部３５は、前方には、延長編地１６から環状編地１５まで略直線状に延びている。
上側締め付け部３５の前後方向中間部（本実施形態では土踏まず付近）からは、足裏側に側面部１７，１７方向に帯状に延びる下側締め付け部３６が形成されている。
【００３４】
上側締め付け部３５及び下側締め付け部３６は、踵ポケット４の第１の台形編地１１Ａと同じ糸を用いて同じ構成で編成されている。上側締め付け部３５及び第１の台形編地１１Ａは、ゴアラインＧ１で連続し、下側締め付け部３６とも合わせて、全体として締め付け部を構成している。締め付け部は、ソックスを足の上面側及び踵にしっかりとフィットさせるよう構成されている。
【００３５】
上側締め付け部３５と下側締め付け部３６との間には、これらによる収縮度合いを調整する補助開口部２０が形成されている。
補助開口部２０は、前後方向に延びる長孔形状に形成されている。
【００３６】
次に、ソックス１の作製について図２を用いて説明する。
ソックス１は、丸編靴下機によって、概略、後方口編部２ａ，踵ポケット４，踵ポケット４に続いて編成される延長編地１６，前方口編部２ｂ，環状編地１５，爪先ポケット３の順に編成されている。
具体的に、ソックス１は後方口編部２ａから編成を開始する。不図示の丸編機シリンダに挿入されている針のうち、踵側の針を総針数の６０〜８０％の範囲で選択し（針数が少なければヒールポケットは小さくなる）丸編機シリンダを往復回転して編成する。
【００３７】
一般の靴下にあっては、口編部２に続いて口編部２と踵ポケット４或いは足部５の環状編地１５との間に適宜コース数の身編地８を十分に編成するが、ソックス１は、身編地８を数コース分作成するのみに止めて、踵ポケット４の編成に移る。
【００３８】
身編地８に続いて、以降のコースは任意のコース毎に編地両端の編み幅を減じて第１の台形編地１１Ａを編成し、その後編み幅を増加し第１の台形編地１１Ａと上辺１１ｍを同じくする第２の台形編地１１Ｂを第１の台形編地１１Ａの下辺１１ｎのコース幅よりも小さくして編成する。第１の台形編地１１Ａ及び第２の台形編地１１Ｂの編成においては、伸縮性の高い糸を用いる。
【００３９】
そして、第２の台形編地１１Ｂと前後反転させた第３の台形編地１１Ｃを第１の台形編地１１Ａよりも伸縮性の低い糸を用いて編成する。
その後更に、第３の台形編地１１Ｃと上辺１１ｍを同じくする第４の台形編地１１Ｄを編成し、下辺１１ｎが一番初めに編成した第１の台形編地１１Ａの下辺１１ｎと同じコース幅になるようにする。
第３の台形編地１１Ｃの編成においては、第１の台形編地１１Ａ及び第２の台形編地１１Ｂに用いた伸縮性の高い糸よりも伸縮性の低い糸に切り替えて編成する。
【００４０】
第４の台形編地１１Ｄについては、上辺１１ｍから下辺１１ｎまでの半分程度を編成した後、互いに略平行に前後方向に延びる履き口１ａ，１ａの各々から履き口１ａ，１ａ間全体の５分の１から４分の１内側に離れた履き口１ａに平行な線Ｌ３までを伸縮性の高い糸に切り替えて編成する。履き口１ａ，１ａの略５分の３から２分の１となる線Ｌ３，Ｌ３間には、第３の台形編地１１Ｃと同じやや伸縮性の低い糸を用いて編成する。
【００４１】
第２の台形編地１１Ｂ、第３の台形編地１１Ｃ及び第４の台形編地１１Ｄのそれぞれの編成時、各台形編地のトラバース端１２ａにおいて、適宜コース端部のループに編み掛けすることで袋状の踵ポケット４を形成する。
【００４２】
次いで、延長編地１６の編成に移る。延長編地１６の編み始めのコースは、第４の台形編地１１Ｄの下辺１１ｎの最終コースに続いて、それと同一の針で編成される。即ち、第４の台形編地１１Ｄの最終コースの編成が端部まで行われるとシリンダは反転し次コースが同一ウエール数編成される。
【００４３】
延長編地１６においても、図２に示す互いに略平行で前後方向に延びる一方の履き口１ａから履き口１ａ，１ａ間全体の５分の１から４分の１内側に離れた履き口１ａに平行な線Ｌ３上まで伸縮性の高い糸に切り替えて編成する。線Ｌ３，Ｌ３間には、一部を除き第４の台形編地１１Ｄの中央部分と同じやや伸縮性の低い糸を用いて編成する。そして、図２に示す互いに略平行に前後方向に延びる他方の履き口１ａから他方側の平行な線Ｌ３までを再び伸縮性の高い糸に切り替えて編集する。
【００４４】
この反転を繰り返して（すなわち往復回転して）所定コース数編成が行なわれる。この延長編地１６の両端の折り返し部分（後方口編部２ａと前方口編部２ｂとの間）は横編機で編成された編地の両側端の所謂耳編と同様の構成となる。
【００４５】
延長編地１６の前後方向の略中央付近の足の土踏まずを覆い得る底面部１８であって、互いに略平行に前後方向に延びる履き口１ａ，１ａ方向に帯状に延びる部分は、伸縮性の高い糸を用いて編成する。
【００４６】
延長編地１６の次は、前方口編部２ｂの編成を行う。
前方口編部２ｂの編成は、後方口編部２ａの編成時に使用しなかった残余の４０〜２０％の針を用い、後方口編部２ａの編成と同様に丸編機シリンダの往復回転により前方口編部２ｂが袋の止め編を構成して編成される。
【００４７】
次に足部５の環状編地１５の編成を行う。
環状編地１５は、延長編地１６の最終コースを編成し休止位置にあった針を編成位置に戻し、該針と前方口編部２ｂの最終コースを編成した針、即ち、全針を用いてシリンダを周回転し、筒編を任意コース構成することにより側面部１７を含む甲部と底面部１８とによりなる足部５の編成が行われる。
【００４８】
足部５においても、互いに略平行に前後方向に延びる履き口１ａ，１ａの一方の履き口１ａから履き口１ａに平行な線Ｌ３まで伸縮性の高い糸を用い、平行な線Ｌ３，Ｌ３間は、延長編地１６の平行な線Ｌ３，Ｌ３間と同じ糸を用いる。更に互いに略平行に前後方向に延びる他方の履き口他１ａから履き口１ａに平行な線Ｌ３までを伸縮性の高い糸を用いて編成する。
【００４９】
足部５に続く爪先の爪先ポケット３は、足部５における平行な線Ｌ３，Ｌ３間と同じ糸を用いて編成する。
爪先ポケット３の開口部はリンキング等適宜の手段により環状編地１５と縫合されて閉じる。
【００５０】
以上のようにして、第４の台形編地１１Ｄ，延長編地１６，環状編地１５及び爪先ポケット３の側面部１７の上下方向中央よりも上部側には、前後方向に連続して伸縮性の高い糸を用いた上側締め付け部３５が形成される。
延長編地１６の底面部１８には、幅方向に亘って帯状に延びる下側締め付け部３６が形成される。
【００５１】
本考案のソックス１を着用した場合、図３又は図４に示すように、ソックス全体が伸長して上側締め付け部３５がその高い伸縮性により足の上側から密着し、下側締め付け部３６が、ソックス１が浮きやすい土踏まず部分の一部にしっかりとフィットする。
【００５２】
また、図５に示すように、ソックス１が延びることで踵開口部６が幅方向にも伸びて略円形に開口する。したがって、ソックス１が靴のかかとに対して摩擦することを回避することが出来るため、ソックス１が靴の中でずれたり脱げたりすることを有効に防止することができるという効果を奏する。
【００５３】
特にソックス１は、踵の張り出しにつながっている図３に示す踵骨骨端核６０を覆うことを回避し得るため、ソックス１が靴の踵部分の内面に摩擦することを有効に回避し、ソックス１のズレを防止することが出来るという効果を奏する。
【００５４】
また、特にソックス１は、図５に示すように、踵開口部６の上方に踵上係止部３０が形成されている。踵上係止部３０を含む踵ポケット４の第１の台形編地１１Ａは、伸縮性の高い糸を用いて編成されているため、ソックス１の踵ポケット４のズレを防止してしっかりと足に喰いつかせることが出来る。したがって、踵上係止部３０は、ソックス１を着用して靴を履いても、ソックス１がずれたり脱げたりすることを有効に防止することが出来る。
【００５５】
また、踵開口部６が上下方向に延びる長孔に形成されているため、踵開口部６が必要以上に大きく開口して踵を露出させてしまいすぎることを防止することができるという効果を奏する。
【００５６】
なお、上記実施形態では、履き口１ａが大きく形成され口編部２が前後に分かれたソックス１を本発明の一実施態様として示したが、本発明はかかる形状のソックス１への適用に限定されない。
具体的には、本発明は、履き口１ａが足の甲を十分に覆い履き口１ａが足首の周りを巡るように形成され、口編部２が履き口１ａの全周に亘って形成されたソックスにも適用可能である。
【００５７】
このようなソックス１は、まず全周を形成し得る口編部２を編成し、踵ポケット４を編成し、延長編地１６の編成をすることなく環状編地１５の編成をする。このように履き口１ａ及び口編部２が足首の周りに形成されたソックス１は、環状編地１５と踵ポケット４とが隣接するので延長編地１６は不要なためである。環状編地１５よりも前方側後は、前記実施形態で示した編成方法と概略同様にして編成することができる。
【００５８】
また、上記構成が一部異なる他の例によるソックス１において、上側締め付け部３５は、前記実施態様と同様に、足部５を構成する側面部の上部側すなわち環状編地１５の足の側面を覆う部分の上下方向の上部側全体に形成されているとよい。なお、下側締め付け部３６は、上記に示した実施形態と同様、足裏を覆う領域であって土踏まずに当たる部分の一部に幅方向に形成されているとよい。
【００５９】
爪先ポケット３の縫合部Ｇ４は、底面側に形成されていてもよい。
本発明は、このようにつま先ポケット、環状編地１５又は延長編地１６及び踵ポケット４の構成又は比率がどのようなものであっても、履き口１ａの後方部の下方に踵上係止部３０が形成可能で、その下方に踵開口部６が形成され得る構成であればどのようなショートソックス又は浅履きソックスにも適用することができる。
【００６０】
なお、上記の実施形態において、踵開口部６は上下方向の長孔に形成されたソックス１を例示したが、踵開口部６はそのままでは隙間が略見えない切込み形状（所謂スリット状）により形成されていてもよい。
また、上記実施形態において、補助開口部２０を１つ形成されたソックス１を例示したが、補助開口部２０の数は、２つ以上であってもよい。
【符号の説明】
【００６１】
１    ソックス
２ａ  後方口編部
２ｂ  前方口編部
３    爪先ポケット
４    踵ポケット
５    足部
６    踵開口部
１６  延長編地
１７  側面部
１８  底面部
２０  補助開口部
【図１】
0003224370.tif 000003
【図２】
0003224370.tif 000004
【図３】
0003224370.tif 000005
【図４】
0003224370.tif 000006
【図５】
0003224370.tif 000007